(57)【要約】【課題】  フィルタ条件が適切であるか否かをユーザが容易に判断できる情報を提示することが可能な材料試験機を提供する。【解決手段】  パーソナルコンピュータ４２は、メモリ５３にインストールしたプログラムの機能ブロックとして、ロードセルや伸び計からの入力信号をデジタル化した生データからノイズを除去するフィルタ処理部６１と、フィルタ処理部６１において生データに適用するフィルタ条件を設定するフィルタ設定部６２と、生データとフィルタ処理部６１においてフィルタ処理された処理データとを、同一スケールで、かつ、異なる態様で表示装置５１に重畳表示する表示制御部６５とを備える。【選択図】  図２
2019132767.tif 000002
【特許請求の範囲】
【請求項１】
負荷機構を駆動して試験対象に試験力を与える材料試験において物理量検出器が検出した信号を処理する制御装置と、試験結果を表示する表示装置と、を備える材料試験機であって、
前記制御装置は、
前記物理量検出器からの入力信号をデジタル化した生データからノイズを除去するフィルタ処理部と、
前記フィルタ処理部において前記生データに適用するフィルタ条件を設定するフィルタ設定部と、
前記生データと前記フィルタ処理部においてフィルタ処理された処理データとを、同一スケールで、かつ、異なる態様で前記表示装置に重畳表示する表示制御部と、
を備えることを特徴とする材料試験機。
【請求項２】
請求項１に記載の材料試験機において、
前記表示制御部は、複数の物理量検出器からの異なる入力信号に基づく前記生データと前記処理データとを、それぞれの物理量において同一スケールで、かつ、異なる態様で前記表示装置に重畳表示する材料試験機。
【請求項３】
請求項１に記載の材料試験機において、
前記表示制御部は、異なるフィルタ条件で処理した複数のデータを、同一スケールで、かつ、異なる態様で前記表示装置に重畳表示する材料試験機。
【請求項４】
請求項１から請求項３のいずれかに記載の材料試験機において、
前記異なる態様は、異なる色相、異なる明度、異なる彩度、または、異なる線種による表現である材料試験機。
【請求項５】
請求項１から請求項４のいずれかに記載の材料試験機において、
前記物理量検出器は、試験対象に作用する試験力を検出する力検出器、および／または、試験対象に生じた変位を検出する変位計である材料試験機。
【請求項６】
請求項１から請求項５のいずれかに記載の材料試験機において、
前記制御装置は、前記処理データから着目点を検出する着目点検出部を備え、
前記表示制御部は、前記着目点を前記表示装置に表示する材料試験機。
【請求項７】
請求項６に記載の材料試験機において、
前記制御装置は、前記着目点検出部が検出した前記着目点の位置を変更する着目点変更部を備える材料試験機。
【発明の詳細な説明】
【技術分野】
【０００１】
この発明は、試験対象に試験力を負荷し材料試験を実行する材料試験機に関する。
【背景技術】
【０００２】
材料の特性を評価するために、材料の種類や性質に応じた各種材料試験が行われている。材料試験を実行する材料試験機は、試験対象である試験片に試験力を与える負荷機構と、実際に試験片にかかった力を検出するための力検出器を備えている（特許文献１参照）。また、高速度の引張荷重を試験片に加える材料試験機においては、試験片の変位（伸び）は、試験片に装着される接触式の伸び計などによって計測される。そして、力検出器や伸び計の信号は、制御装置に入力され、制御装置での信号に基づく計算により試験力、変位として表示装置に表示される（特許文献２参照）。
【先行技術文献】
【特許文献】
【０００３】
【特許文献１】特開２００４−３３３２２１号公報
【特許文献２】国際公開ＷＯ２００８／０８１５０５
【発明の概要】
【発明が解決しようとする課題】
【０００４】
表示装置に表示される試験力や試験片の変位は、特許文献２に記載されているように、制御装置での計算を経たものである。この制御装置での計算には、生データからノイズを除去するフィルタ処理が含まれており、従来の表示装置でのデータ表示では、フィルタ処理後のデータが表示されていた。このため、フィルタ処理に使用したフィルタの設定が適切なものであったか否か等を、ユーザは一見して判断することはできなかった。
【０００５】
特にプラスチック材料に対する高速引張試験では、試験時間が短く、データの収集に際しては、細かい時間間隔でのサンプリングが必要となる。したがって、多くのノイズを検出する傾向にある。ノイズの中には試験機本体と試験片を把持するつかみ具などの治具を含む系の固有振動によるものが加わることが散見される。従来からフィルタ処理後の近似曲線上のピークを自動検出して最大試験力点として登録しているが、フィルタの設定が不適切であると、フィルタ処理の前後で最大試験力点の検出位置が生データの試験力ピークの位置と乖離していることがある。またフィルタにより、計測値の傾きがなまる場合がある。従来の試験結果の表示では、表示装置にはフィルタ処理後のデータが表示されるのみであるため、このような最大試験力点の検出位置のズレや傾斜の変化をユーザが認識することはできない。そうすると、フィルタ処理後のデータからさらに計算により求められる弾性率などの材料特性の評価の項目数値が信頼性に欠けるものであったとしても、ユーザはそれに気付くことができないという問題が生じる。
【０００６】
この発明は、上記課題を解決するためになされたものであり、フィルタ条件が適切であるか否かをユーザが容易に判断できる情報を提示することが可能な材料試験機を提供することを目的とする。
【課題を解決するための手段】
【０００７】
請求項１に記載の発明は、負荷機構を駆動して試験対象に試験力を与える材料試験において物理量検出器が検出した信号を処理する制御装置と、試験結果を表示する表示装置と、を備える材料試験機であって、前記制御装置は、前記物理量検出器からの入力信号をデジタル化した生データからノイズを除去するフィルタ処理部と、前記フィルタ処理部において前記生データに適用するフィルタ条件を設定するフィルタ設定部と、前記生データと前記フィルタ処理部においてフィルタ処理された処理データとを、同一スケールで、かつ、異なる態様で前記表示装置に重畳表示する表示制御部と、を備えることを特徴とする。
【０００８】
請求項２に記載の発明は、請求項１に記載の材料試験機において、前記表示制御部は、複数の物理量検出器からの異なる入力信号に基づく前記生データと前記処理データとを、それぞれの物理量において同一スケールで、かつ、異なる態様で前記表示装置に重畳表示する。
【０００９】
請求項３に記載の発明は、請求項１に記載の材料試験機において、前記表示制御部は、異なるフィルタ条件で処理した複数のデータを、同一スケールで、かつ、異なる態様で前記表示装置に重畳表示する。
【００１０】
請求項４に記載の発明は、請求項１から請求項３のいずれかに記載の材料試験機において、前記異なる態様は、異なる色相、異なる明度、異なる彩度、または、異なる線種による表現である。
【００１１】
請求項５に記載の発明は、請求項１から請求項４のいずれかに記載の材料試験機において、前記物理量検出器は、試験対象に作用する試験力を検出する力検出器、および／または、試験対象に生じた変位を検出する変位計である。
【００１２】
請求項６に記載の発明は、請求項１から請求項５のいずれかに記載の材料試験機において、前記制御装置は、前記処理データから着目点を検出する着目点検出部を備え、前記表示制御部は、前記着目点を前記表示装置に表示する。
【００１３】
請求項７に記載の発明は、請求項６に記載の材料試験機において、前記制御装置は、前記着目点検出部が検出した前記着目点の位置を変更する着目点変更部を備える。
【発明の効果】
【００１４】
請求項１から請求項７に記載の発明によれば、制御装置が、生データとフィルタ処理された処理データとを、同一スケールで、かつ、異なる態様で表示装置に重畳表示する表示制御を実行することから、ユーザは、試験結果のデータ表示から、フィルタ条件が適切であるか否かを容易に判断できる情報を取得することが可能となる。
【００１５】
請求項２に記載の発明によれば、制御装置が、複数の物理量検出器からの異なる入力信号に基づく各々のデータを、それぞれの物理量において同一スケールで、かつ、異なる態様で表示装置に重畳表示する表示制御を実行することから、ユーザは、異なる物理量の変化を、一見して認識することができる。
【００１６】
請求項３に記載の発明によれば、制御装置が、異なるフィルタ条件で処理した複数のデータを、同一スケールで、かつ、異なる態様で表示装置に重畳表示する表示制御を実行することから、ユーザは、処理の異なるデータ間で比較しながら、適切なフィルタ条件を判断することが可能となる。
【００１７】
請求項４に記載の発明によれば、生データとフィルタ処理された処理データ、異なる物理量検出器からの入力信号に基づく各々のデータ、異なるフィルタ条件で処理した複数のデータを、異なる色相、異なる明度、異なる彩度、または、異なる線種で表現した表示を行うことにより、ユーザによる、画面上の各々のデータの識別が容易となる。
【００１８】
請求項６に記載の発明によれば、制御装置が、着目点検出部を備え、着目点検出部が検出した処理データ上の、開始点、最大点、破断点等の着目点を表示装置に表示する表示制御を実行することから、ユーザは、生データに対して処理データの着目点の位置ズレを、容易に知ることが可能となる。
【００１９】
請求項７に記載の発明によれば、制御装置が、着目点変更部を備え、着目点検出部が検出した処理データ上の着目点の位置を変更可能としたことから、ユーザは、着目点を生データの値を考慮した位置に再設定することができ、着目点を利用して算出する材料特性の評価値の信頼性を向上させることができる。
【図面の簡単な説明】
【００２０】
【図１】この発明に係る材料試験機の概要図である。
【図２】この発明に係る材料試験機の主要な制御系を示すブロック図である。
【図３】試験結果のグラフの表示例である。
【図４】試験結果のグラフの表示例である。
【図５】試験結果のグラフの表示例である。
【図６】試験結果のグラフの表示例である。
【図７】試験結果のグラフの表示例である。
【図８】試験結果のグラフの表示例である。
【図９】試験結果のグラフの表示例である。
【図１０】試験結果のグラフの表示例である。
【図１１】試験結果のグラフの表示例である。
【図１２】この発明に係る材料試験機の他の実施形態に係る主要な制御系を示すブロック図である。
【００２１】
以下、この発明の実施の形態を図面に基づいて説明する。図１は、この発明に係る材料試験機の概要図である。図２は、この発明に係る材料試験機の主要な制御系を示すブロック図である。
【００２２】
この材料試験機は、試験片ＴＰに急速に衝撃的な引張力を付与する高速引張試験を実行するものであり、試験機本体１０と、制御装置４０を備える。試験機本体１０は、テーブル１１と、テーブル１１に立設された一対の支柱１２と、一対の支柱１２に架け渡されたクロスヨーク１３と、クロスヨーク１３に固定された油圧シリンダ３１を備える。
【００２３】
油圧シリンダ３１は、サーボバルブ３４を介してテーブル１１内に配置された油圧源（図示せず）と接続されており、この油圧源から供給される作動油によって動作する。油圧シリンダ３１のピストンロッド３２には、助走治具２５およびジョイント２６を介して上つかみ具２１が接続されている。一方で、テーブル１１には、力検出器であるロードセル２７を介して、下つかみ具２２が接続されている。このように、この試験機本体１０は、助走治具２５により引張方向に助走区間を設け、ピストンロッド３２を０．１〜２０ｍ／ｓの高速で引き上げることにより、試験片ＴＰの両端部を把持する一対のつかみ具を急激に離間させる高速引張試験を実行するための構成となっている。高速引張試験を実行したときの負荷機構の変位（ストローク）、すなわち、ピストンロッド３２の移動量は、ストロークセンサ３３により検出され、その時の試験力はロードセル２７により検出される。
【００２４】
また、試験片ＴＰには、試験片ＴＰに生じた変位を検出する変位計である伸び計３５が配設されている。伸び計３５は、試験片ＴＰの伸びを測定するために、試験片ＴＰに直接取り付けられるものであり、例えば、特開２００６−１０４０９号公報に記載されているような構造を有する。すなわち、試験片ＴＰに設定されている２箇所の標線にそれぞれに固定された固定具と、一方の固定具に固着される伝導体から成るパイプと、他方の固定具に固着されるパイプ内に移動自在に挿入されるコイルとを備え、パイプに対するコイルの挿入量の変化に基づくコイルのインダクタンスの変化を検出して、試験片ＴＰの標線間の伸びを測定している。なお、変位計は、ストロークセンサ３３であってもよく、高速ビデオカメラなどの非接触式の伸び計であってもよい。
【００２５】
制御装置４０は、試験機本体１０の動作を制御するための本体制御装置４１と、パーソナルコンピュータ４２とから構成される。本体制御装置４１は、プログラムを格納するメモリ４３と、各種演算を実行するＭＰＵ（ｍｉｃｒｏ  ｐｒｏｃｅｓｓｉｎｇ  ｕｎｉｔ）などの演算装置４５と、パーソナルコンピュータ４２との通信を行う通信部４６とを備える。メモリ４３、演算装置４５および通信部４６は、相互にバス４９により接続されている。また、本体制御装置４１は、機能的構成として試験制御部４４を備える。試験制御部４４は、試験制御プログラムとしてメモリ４３に格納されている。高速引張試験を実行するときには、試験制御プログラムを実行することにより、サーボバルブ３４に制御信号が供給され、油圧シリンダ３１が動作する。本体制御装置４１には、ロードセル２７、伸び計３５などの物理量検出器の各々に対応する信号入出力ユニットが設けられ、ストロークセンサ３３の出力信号、ロードセル２７の出力信号、および、伸び計３５の出力信号は、デジタル化されて所定の時間間隔で本体制御装置４１に取り込まれる。
【００２６】
パーソナルコンピュータ４２は、データ解析プログラムを記憶するＲＯＭ、プログラム実行時にプログラムをロードして一時的にデータを記憶するＲＡＭなどから成るメモリ５３、各種演算を実行するＣＰＵ（ｃｅｎｔｒａｌ  ｐｒｏｃｅｓｓｉｎｇ  ｕｎｉｔ）などの演算装置５５、本体制御装置４１などの外部接続機器との通信を行う通信部５６、データを記憶する記憶装置５７、試験結果が表示される表示装置５１および試験条件を入力するための入力装置５２を備える。メモリ５３には、演算装置５５を動作させて機能を実現するプログラムが格納されている。なお、記憶装置５７は、ロードセル２７から入力された試験力の生データである時系列データなどを記憶する記憶部であり、ＨＤＤ（ｈａｒｄ  ｄｉｓｋ  ｄｒｉｖｅ）などの大容量記憶装置から構成される。メモリ５３、演算装置５５、通信部５６、記憶装置５７、表示装置５１および入力装置５２は相互にバス５９により接続されている。
【００２７】
図２においては、パーソナルコンピュータ４２にインストールされ、メモリ５３に記憶されているプログラムを機能ブロックとして示している。この実施形態では、機能ブロックとして、ロードセル２７や伸び計３５からの入力信号をデジタル化した生データからノイズを除去するフィルタ処理部６１と、フィルタ処理部６１において生データに適用するフィルタ条件を設定するフィルタ設定部６２と、生データとフィルタ処理部６１においてフィルタ処理された処理データとを、同一スケールで、かつ、異なる態様で表示装置５１に重畳表示する表示制御部６５とを備える。なお、フィルタ処理部６１でのノイズ除去には、ロードセル２７や伸び計３５の電気的ゆらぎなどに起因する測定ノイズの除去と、試験機本体１０とロードセル２７に接続している下つかみ具２２を含む系に生じる固有振動の除去とを含む。また、フィルタ設定部６２においては、フィルタの種類として、移動平均フィルタ、メディアンフィルタ、ローパスフィルタ等、いくつかのフィルタが用意されている。
【００２８】
また、この実施形態では、メモリ５３にプログラムとして記憶されている機能ブロックとして、着目点検出部６３を備える。着目点検出部６３は、開始点、最大試験力点、破断点、その他変極点など、材料の強度評価において着目される着目点を、フィルタ処理後のデータから自動計算により特定する。すなわち、着目点の特定は、演算装置５５がメモリ５３の着目点検出部６３から読み込んだプログラムを実行することにより実現される。特定された着目点は、表示制御部６５の作用により、表示装置５１に表示したフィルタ処理後のデータのグラフ中に自動付与される。
【００２９】
このような構成の材料試験機で高速引張試験を実行するときの、表示装置５１への試験結果の表示について説明する。図３および図４は、試験結果グラフの表示例である。この試験結果は、高速（例えば、試験速度２０ｍ／ｓ）で引張試験を実行したときの試験力の時系列データを示すものである。グラフの縦軸は試験力（ｋＮ：キロニュートン）であり、横軸は時間（ｍｓ：ミリ秒）である。そして、これらのグラフ中、生データを破線で示し、フィルタ処理後の処理データを実線で示している。
【００３０】
本体制御装置４１から通信部４６、５６を介してパーソナルコンピュータ４２に入力され、デジタル化された生データは、時間のデータ列として記憶装置５７に保存される。そして、生データは、フィルタ処理部６１でフィルタ処理され、フィルタ処理後の処理データも、時間のデータ列として記憶装置５７に保存される。生データとフィルタ処理後の処理データは、表示制御部６５の作用により、試験力の時間経過を示すグラフ、荷重―変位曲線等、ユーザが選択したグラフ形式に従って、表示装置５１に表示される。
【００３１】
図３および図４のグラフは、生データにフィルタ処理後の処理データを重畳させて表示している。また、フィルタ処理後のデータ上に、開始点（図中に白丸で示す）、最大試験力点（図中に黒丸で示す）、破断点（図中に白二重丸で示す）をマーキングしている。
【００３２】
図３では、フィルタ処理後の処理データの最大試験力点が、生データの試験力のピークトップと一致せず、データの位相が後ろにずれている。このような位相ズレは、生データとフィルタ処理後の処理データを重畳させて表示することで、ユーザが一見して知ることができる。そして、このような位相ズレを解消するには、ユーザは、固有振動を除去するフィルタの種類を変更することで、改善することができる。すなわち、ユーザは、入力装置５２を操作してフィルタ設定部６２で設定するフィルタ設定を変更することで、別の種類のフィルタを適用する。
【００３３】
フィルタ設定を変更した図４のグラフでは、フィルタ処理後の処理データと生データとの位相ズレが解消され、開始点、最大試験力点、破断点のそれぞれの点が、破線で示す生データ上にも乗っていることが理解できる。このように、生データとフィルタ処理後の処理データを同一画面上に同一スケールで重畳表示することで、ユーザは、生データと処理データとの間で位相ズレが生じていないか、あるいは、フィルタ設定が適切であるか等の確認を容易に行うことが可能となる。なお、説明の便宜上、グラフ中の生データを破線で示し、フィルタ処理後の処理データを実線で示しているが、データを重畳表示するに際しては、異なる線種での表現に限定されない。すなわち、この発明における異なる態様での表現とは、異なる色での表示も含み、この異なる色とは、同一色相で生データ側の明度や彩度を小さくして、フィルタ処理後の処理データの表示の方が強調される表現とすることや、データごとに異なる色相を割り当てること等、色相、明度、彩度の違いによる多様な表現が含まれる。
【００３４】
図５から図７は、試験結果のグラフの表示例であり、荷重―変位曲線を示している。これらのグラフにおいて、縦軸は試験力（ｋＮ：キロニュートン）であり、横軸は変位（ｍｍ：ミリメートル）である。そして、これらのグラフ中、生データを破線で示し、フィルタ後の処理データを実線で示している。また、これらの図においても、フィルタ処理後のデータ上に、開始点（図中に白丸で示す）、最大試験力点（図中に黒丸で示す）、破断点（図中に白二重丸で示す）をマーキングしている。
【００３５】
図５の表示例では、フィルタ処理後の処理データの最大試験力点の変位位置が、生データの最大試験力の位置からズレており、フィルタ処理後の処理データの試験力のピーク値が減衰していることを、生データにフィルタ処理後の処理データを重畳表示することで、読み取ることができる。フィルタ処理により最大試験力点の変位位置がズレ、試験力のピーク値が減衰すると、弾性域（データが直線的に変化する領域）での直線の傾きが緩やかとなり、本来よりも弾性率を低く見積もってしまう。このような場合は、ユーザは、固有振動を除去するフィルタの種類を変更する。
【００３６】
図６は、図５と同じ生データに、別の種類のフィルタを適用してフィルタ処理を行った結果である。図６の表示例では、生データとフィルタ処理後の処理データとで最大試験力点の変位位置にズレがなく、試験力のピーク値も減衰しない。したがって、開始点直後の弾性域でのデータの傾きも、生データとフィルタ処理後の処理データとでほぼ一致し、弾性率を正確に求めることができる。
【００３７】
図７の表示例では、開始点から破断点までの試験片ＴＰに試験力が与えられている状態でのデータ域において、生データに固有振動の影響が大きく表れていることが、生データにフィルタ処理後の処理データを重畳表示することで、読み取ることができる。ユーザは、フィルタ処理後の処理データに対して、開始点から破断点までの間の生データの波形振幅の程度を、このようなグラフ表示により見ることで、試験結果の信頼性について判断材料を得ることができる。
【００３８】
図８は、試験結果のグラフの表示例であり、図４の試験力の時系列データの一部を拡大して示すとともに、同一種類のフィルタの強度を変更した２つのフィルタ処理後の処理データを、生データに重畳して示している。グラフの縦軸は試験力（ｋＮ：キロニュートン）であり、横軸は時間（ｍｓ：ミリ秒）である。そして、このグラフ中、生データを破線で示し、弱い強度のフィルタを適用したフィルタ処理後の処理データを１点鎖線、強い強度のフィルタを適用したフィルタ処理後の処理データを実線で示している。
【００３９】
図８の表示例では、データを平滑化するフィルタの強さを２段階に変更し、生データの上に２つのフィルタ処理後の処理データを重畳表示することで、ユーザは、フィルタ強度が適切であるかどうかを、一見して容易に確認することが可能となる。フィルタ強度の変更は、例えばローパスフィルタであればカットオフ周波数を段階的に変更したもの、あるいは、バンドパスフィルタであれば、フィルタ通過周波数域の範囲を変更したものなど、フィルタの種類に応じて、ユーザが段階的に選択できるようになっている。なお、この表示例では、説明の便宜上、各データを異なる線種で示しているが、フィルタの強弱に応じて、色の濃淡をつけるなど、同一色相で異なる明度や彩度の着色を各データに施した表示をすることもできる。さらに、異なる色相や異なる線種をさらに組み合わせて各データを表示してもよい。
【００４０】
図９から図１１は、試験結果のグラフの表示例であり、異なる物理量検出器であるロードセル２７と伸び計３５からの各入力信号に基づく、同じ時系列の試験力と変位の各データを、同一画面に同一スケールで表示するものである。図９および図１１のグラフの左縦軸は試験力（ｋＮ：キロニュートン）、右縦軸は変位（ｍｍ：ミリメートル）であり、横軸は時間（ｍｓ：ミリ秒）である。また、図１０のグラフの縦軸は変位（ｍｍ：ミリメートル）であり、横軸は時間（ｍｓ：ミリ秒）である。そして、これらのグラフ中、生データを細線で示し、フィルタ処理後の処理データを太線で示している。また、図１０および図１１においては、変位の生データについては、輪郭を細線で示している。
【００４１】
図９の表示例のように、同一時間軸（同一スケール）で異なる系列（試験力と変位）を、同一画面上に重畳させて表示している。なお、図面の都合上、試験力と変位を同一線種で表しているが、実際の表示では、異なる系列ごとに異なる色相を割り当て、相互に視覚的な判別がでるようにしている。例えば、試験力を青、変位を赤で表現している。
【００４２】
また、図９の表示例から、図１０の表示例のように、変位の生データにフィルタ処理後の変位の処理データを重畳表示する表示に切り替えて表示することも可能である。
【００４３】
試験力の生データにフィルタ処理後の試験力の処理データを重畳表示した上に、さらに、図１０に示す変位グラフを重畳表示した表示例が図１１である。このように異なる系列のデータを、生データとフィルタ処理後の処理データの両方を表示するときには、試験力は青系の色、変位は赤系の色など、系列ごとに色相を割り当て、生データとフィルタ処理後の処理データとで、彩度や明度を変えることで、それぞれのデータの視覚的な識別を助けるようにすることができる。
【００４４】
図１２は、この発明に係る材料試験機の他の実施形態に係る主要な制御系を示すブロック図である。なお、先に図２を参照して説明した構成と同じ構成は、同一の符号を付し、詳細な説明を省略する。
【００４５】
この図１２に示す実施形態では、図２の実施形態の構成に加えて、メモリ５３に機能的構成として着目点変更部６４を備える。例えば、図４や図６の表示例に黒丸で示すように、着目点検出部６３の作用により自動検出された最大試験力点の位置は、生データにおいて最大試験力値を記録した位置と完全に一致しているわけではない。最大試験力点を生データにおいて最大試験力値を記録した位置により近づけたい場合には、ユーザは、入力装置５２を操作して、画面を見ながら、最大試験力点を示す黒丸を所望の位置に移動させる。このとき、演算装置５５がメモリ５３の着目点変更部６４から読み込んだプログラムを実行することにより、その所望の位置を最大試験力点として登録され、記憶装置５７に記憶される。
【００４６】
なお、上述した実施形態では、高速引張試験の試験結果における着目点である最大試験力点の位置変更について説明したが、開始点や破断点についても、ユーザの所望の位置に変更することが可能である。これにより、ユーザは、着目点を生データの値を考慮した位置に再設定することができ、着目点を利用して算出する材料特性の評価値の信頼性を向上させることができる。
【００４７】
上述した実施形態では、高速引張試験について説明したが、圧縮荷重をコンクリートなどの試験体に与える高速圧縮試験、打ち抜き試験などにおいて、フィルタ処理が適切に行われているか否か、着目点の検出が適正であるか否かをユーザが一見して確認できるように、この発明を適用することが可能である。
【符号の説明】
【００４８】
１０      試験機本体
１１      テーブル
１２      支柱
１３      クロスヨーク
２１      上つかみ具
２２      下つかみ具
２５      助走治具
２６      ジョイント
２７      ロードセル
３１      油圧シリンダ
３２      ピストンロッド
３３      ストロークセンサ
３４      サーボバルブ
３５      伸び計
４０      制御装置
４１      本体制御装置
４２      パーソナルコンピュータ
４３      メモリ
４４      試験制御部
４５      演算装置
４６      通信部
５１      表示装置
５２      入力装置
５３      メモリ
５５      演算装置
５６      通信部
５７      記憶装置
６１      フィルタ処理部
６２      フィルタ設定部
６３      着目点検出部
６４      着目点変更部
６５      表示制御部
ＴＰ      試験片
【図１】
2019132767.tif 000003
【図２】
2019132767.tif 000004
【図３】
2019132767.tif 000005
【図４】
2019132767.tif 000006
【図５】
2019132767.tif 000007
【図６】
2019132767.tif 000008
【図７】
2019132767.tif 000009
【図８】
2019132767.tif 000010
【図９】
2019132767.tif 000011
【図１０】
2019132767.tif 000012
【図１１】
2019132767.tif 000013
【図１２】
2019132767.tif 000014